(57)【要約】【課題】再生装置において、高音質で再生したいために非圧縮や可逆圧縮又は高ビットレートで記録されているオーディオデータについては、そのファイル情報をユーザがいちいち確認する必要なく、高音質モードで再生することができるようにする。【解決手段】再生装置において、所定の記憶手段に記憶されているオーディオデータの再生に際し、オーディオデータの音質を特定可能なデータを記憶手段から読み出す読出し手段（ステップ２１）と、読出し手段が読み出した音質を特定可能なデータに基づき、オーディオデータを所定の高音質モードで再生するか否かを判定する判定手段（ステップ２２、２３）とを設ける。音質を特定可能なデータは、たとえば、オーディオデータのヘッダ部において記録されている。【選択図】図２
2009020922.tif 000002
【特許請求の範囲】
【請求項１】
所定の記憶手段に記憶されているオーディオデータの再生に際し、該オーディオデータの音質を特定可能なデータを前記記憶手段から読み出す読出し手段と、
前記読出し手段が読み出した音質を特定可能なデータに基づき、前記オーディオデータを所定の高音質モードで再生するか否かを判定する判定手段とを具備することを特徴とする再生装置。
【請求項２】
前記音質を特定可能なデータは、前記オーディオデータのヘッダ部において記録されているデータであることを特徴とする請求項１に記載の再生装置。
【請求項３】
前記判定手段は、前記読出し手段が読み出した音質を特定可能なデータが前記オーディオデータのファイル形式を表すデータを有し、前記オーディオデータが非圧縮形式又は可逆圧縮形式であることを示している場合に、前記オーディオデータを所定の高音質モードで再生する旨の判定を行うものであることを特徴とする請求項１又は２に記載の再生装置。
【請求項４】
前記判定手段は、前記読出し手段が読み出した音質を特定可能なデータが前記オーディオデータの圧縮率を表すデータを有し、前記オーディオデータが所定の圧縮形式のものであり、かつ所定以上の周波数の再生が可能なビットレートのものであることを示すものである場合に、前記オーディオデータを所定の高音質モードで再生する旨の判定を行うものであることを特徴とする請求項１〜３のいずれか１項に記載の再生装置。
【請求項５】
コンピュータを請求項１〜４のいずれかの再生装置における各手段として機能させることを特徴とするプログラム。
【請求項６】
所定の記憶手段に記憶されているオーディオデータの再生に際し、読出し手段が、該オーディオデータの音質を特定可能なデータを前記記憶手段から読み出す読出し工程と、
判定手段が、前記読出し手段が読み出した音質を特定可能なデータに基づき、前記オーディオデータを所定の高音質モードで再生するか否かを判定する判定工程とを具備することを特徴とする再生方法。
【発明の詳細な説明】
【技術分野】
【０００１】
本発明は、オーディオデータの再生に際し、該オーディオデータを所定の高音質モードで再生することができる再生装置及び再生方法、並びに該再生装置としてコンピュータを機能させるプログラムに関する。
【背景技術】
【０００２】
近年、大容量のＨＤＤやメモリを有するオーディオ再生装置の市場が拡大している。これらの記憶手段には、オーディオソースとして、各種音源から記録し又はネットワークを介して購入した、ＭＰ３形式やＷＭＡ方式、ＷＡＶ形式等のファイルを記録することができる。その場合、各種ファイル形式や複数種類のビットレートによるものが混在して記録されることもある。一方、オーディオ再生装置としては、上記大容量のＨＤＤやメモリを内蔵したものの他、大容量のＨＤＤやメモリを有するポータブル再生装置を接続し、これが保持するデータをオーディオソースとして再生するものもある。
【０００３】
さらに、これらのオーディオソースに基づく再生を可能な限り高音質で行う目的で、特許文献１のような技術も提案されている。この技術では、放送信号を受信する信号受信機能と音声再生機器からの音声信号を処理する音声信号処理機能とを有する音声再生装置において、放送信号を処理する必要が無い場合には、信号受信機能の電源を切断することによって、音声再生機器からの音声信号の音質の劣化を防ぎ、不要な輻射の発生を減少させるようにしている。
【０００４】
また、高音質による再生を実現するために、ユーザ操作による高音質モードの選択手段を設け、高音質モードが選択された場合には、オーディオ信号の再生に不要な機能を停止させたり、不要な回路を迂回させたりすることにより、高音質なオーディオ再生を可能としたものも知られている。不要な機能の停止としては、たとえば、表示部やサラウンドチャンネル増幅部等についての電源オフが該当する。不要な回路の迂回としては、たとえばイコライザ回路のパス等が該当する。これらの機能や回路は不要輻射等の要因や、オーディオ信号の伝送経路に対するノイズ源や抵抗となるので、これらの機能や回路の使用を減らすことによって、高音質なオーディオの再生を可能にすることができる。
【０００５】
図５は、高音質モードの選択手段を設けた従来例に係る再生装置を示すブロック図である。同図に示すようにこの再生装置５０は、所定のプログラムと協働して装置各部の制御や必要な情報処理を行うＣＰＵ５１、ＣＰＵ５１により処理されるオーディオデータが格納された記憶部５２、ＣＰＵ５１がユーザに対して必要な表示を行うための表示部５３、ユーザがＣＰＵ５１に対して操作入力を行うための操作部５４、ＣＰＵ５１が出力するデジタル信号をアナログ信号に変換するＤＡコンバータ５５、ＤＡコンバータ５５からの信号又は外部入力ソース５６からのアナログ信号のいずれかを選択するセレクタ５７、セレクタ５７により選択された信号に対して音質調整を行うトーン回路５８、ＤＡコンバータ５５又はトーン回路５８からの信号を増幅する増幅部５９を備える。また、高音質モード及び通常モード間の切替えをユーザの手動操作に基づいて行う手動切替え部６３を備える。
【０００６】
記憶部５２は装置に内蔵されたハードディスクやメモリにより構成される。なお、ＣＰＵ５１による処理対象となるオーディオデータは、記憶部５２において格納されているものの他、外部記憶装置６０において格納されているものであってもよい。外部記憶装置６０としては、たとえばハードディスクや半導体メモリにより構成される。ネットワークを介して通信可能なサーバ上に存在するものであってもよい。増幅部５９により増幅された音声信号はスピーカ等の外部出力手段６１によって音声として出力される。
【０００７】
この構成において、操作部５４を介したユーザの指示により再生対象とされた記憶部５２中のオーディオデータは、ＣＰＵ５１においてデコードされ、ＤＡコンバータ５５においてアナログ信号に変換される。そして、手動切替部６３が通常モード側に切り替えられている場合には、ＤＡコンバータ５５からのアナログ信号は、手動切替部６３、セレクタ５７、トーン回路５８、及び増幅部５９を経て、外部出力手段６１により、音声として出力される。
【０００８】
一方、手動切替部６３が高音質モード側に切り替えられている場合には、ＤＡコンバータ５５からのアナログ信号は、トーン回路５８を経ることなく直接的に増幅部５９に入力される。この場合、オーディオデータが有する高音質の信号は、より原音に近い状態で再生されることになる。
【０００９】
【特許文献１】特開２００２−３５２５７０号公報
【発明の開示】
【発明が解決しようとする課題】
【００１０】
ところで、再生装置が有する大容量の記録媒体において、各種のファイル形式やビットレートのオーディオデータが混在している場合、非圧縮や可逆圧縮又は高ビットレートでの圧縮によるオーディオデータについては、ユーザがそのオーディオデータを高音質で聴取したいために、そのような形式やビットレートで記録していることが多い。
【００１１】
しかしながら、上述の高音質モードの選択手段を備えた従来技術によれば、ユーザが高音質で聴取したいオーディオデータを再生するために、高音質モードへの切替えを行おうとするき、そのオーディオデータがどのような形式のファイルであり、どのようなビットレートで圧縮されているか等のような音質に関連した情報を確認しなければならず、不便である。
【００１２】
本発明の目的は、このような従来技術の問題点に鑑み、再生装置において、非圧縮や可逆圧縮、高ビットレート等による高音質の形式で記録されているオーディオデータについては、その音質関連情報をユーザがいちいち確認して判断する必要なく、高音質モードで再生することができるようにすることにある。
【課題を解決するための手段】
【００１３】
この目的を達成するため、第１の発明に係る再生装置は、所定の記憶手段に記憶されているオーディオデータの再生に際し、該オーディオデータの音質を特定可能なデータを前記記憶手段から読み出す読出し手段と、前記読出し手段が読み出した音質を特定可能なデータに基づき、前記オーディオデータを所定の高音質モードで再生するか否かを判定する判定手段とを具備することを特徴とする。
【００１４】
ここで、音質を特定可能なデータとしては、たとえば、当該オーディオデータについての、圧縮ファイルであるか否か、非可逆圧縮ファイルであるか否か、ファイル形式、ビットレート、サンプリング周波数、若しくは量子化ビット数に関するデータ、又はこれらのうちから任意に選択される２以上のものの組合せが該当する。所定の高音質モードとしては、たとえば、再生装置が有する表示部を消灯したモード、不要なチャンネルの増幅部についての電源供給をオフとしたモード、若しくは再生信号がトーン回路等を迂回するようなモード、又はこれらのモードのうちの任意の２以上のものの組合せが該当する。
【００１５】
この構成において、所定の記憶手段に記憶されているオーディオデータの再生に際しては、該オーディオデータの音質を特定可能なデータが前記記憶手段から読み出され、該音質を特定可能なデータに基づき、該オーディオデータを所定の高音質モードで再生するか否かが判定される。つまり、たとえば、音質を特定可能なデータが、当該オーディオデータが非圧縮形式や可逆圧縮形式により高音質で記録されていることを示す場合には、高音質モードで再生する旨の判定が行われる。したがって、ユーザは再生しようとするオーディオデータについての音質を特定可能なデータがどうなっているのかを確認する必要なく、装置による判定結果を享受することができる。たとえば、判定結果に従い、自動的に高音質モード又は通常モードによる再生を行わせることができる。
【００１６】
第２の発明に係る再生装置は、第１発明において、前記音質を特定可能なデータは、前記オーディオデータのヘッダ部において記録されているデータであることを特徴とする。
【００１７】
第３の発明に係る再生装置は、第１又は第２発明において、前記判定手段は、前記読出し手段が読み出した音質を特定可能なデータが前記オーディオデータのファイル形式を表すデータを有し、前記オーディオデータが非圧縮形式又は可逆圧縮形式であることを示している場合に、前記オーディオデータを所定の高音質モードで再生する旨の判定を行うものであることを特徴とする。
【００１８】
第４の発明に係る再生装置は、第１〜第３のいずれかの発明において、前記判定手段は、前記読出し手段が読み出した音質を特定可能なデータが前記オーディオデータの圧縮率を表すデータを有し、前記オーディオデータが所定の圧縮形式のものであり、かつ所定以上の周波数の再生が可能なビットレートのものであることを示すものである場合に、前記オーディオデータを所定の高音質モードで再生する旨の判定を行うものであることを特徴とする。
【００１９】
第５の発明に係るプログラムは、コンピュータを第１〜第４のいずれかの発明に係る再生装置における各手段として機能させることを特徴とする。
【００２０】
第６の発明に係る再生方法は、所定の記憶手段に記憶されているオーディオデータの再生に際し、読出し手段が、該オーディオデータの音質を特定可能なデータを前記記憶手段から読み出す読出し工程と、判定手段が、前記読出し手段が読み出した音質を特定可能なデータに基づき、前記オーディオデータを所定の高音質モードで再生するか否かを判定する判定工程とを具備することを特徴とする。
【発明の効果】
【００２１】
本発明によれば、記憶手段に記憶されているオーディオデータの再生に際し、該オーディオデータの音質に関連する所定の音質関連データを記憶手段から読み出し、該音質関連データに基づいて該オーディオデータを所定の高音質モードで再生するか否かを判定するようにしたため、ユーザは再生しようとするオーディオデータが高音質で記録されている場合、そのファイル形式やビットレートを意識する必要なく、高音質モードで再生させることができる。
【発明を実施するための最良の形態】
【００２２】
図１は、本発明の一実施形態に係る再生装置を示すブロック図である。同図に示すようにこの再生装置１０は、所定のプログラムと協働して装置各部の制御や必要な情報処理を行うＣＰＵ１、ＣＰＵ１により処理されるオーディオデータが格納された記憶部２、ＣＰＵ１がユーザに対する表示を行うための表示部３、ユーザがＣＰＵ１に対して操作入力を行うための操作部４、ＣＰＵ１が出力するデジタル信号をアナログ信号に変換するＤＡコンバータ５、ＤＡコンバータ５からの信号又は外部入力ソース６からのアナログ信号のいずれかを選択するセレクタ７、セレクタ７により選択された信号に対して音質調整を行うためのトーン回路８、ＤＡコンバータ５又はトーン回路８からの信号を増幅する増幅部９を備える。また、動作モードを高音質モード及び通常モード間で切り替える自動切替部１３を備える。
【００２３】
記憶部２は装置に内蔵されたハードディスクやメモリにより構成される。なお、ＣＰＵ１の処理対象となるオーディオデータは、記憶部２に格納されているものの他、外部記憶装置１２において格納されているものであってもよい。外部記憶装置１２は、たとえばハードディスクや半導体メモリにより構成される。ネットワークを介して通信可能なサーバ上に存在するものであってもよい。増幅部９により増幅された音声信号はスピーカ等の外部出力手段１１によって音声として出力される。記憶部２において蓄積されるオーディオデータとしては、たとえば、ＭＰ３形式、ＷＭＡ形式、ＷＡＶ形式等の楽曲コンテンツのファイルが該当する。トーン回路８はイコライジング機能を含むものであってもよい。
【００２４】
この構成において、操作部４を介したユーザの指示により再生対象とされた記憶部２中のオーディオデータは、ＣＰＵ１においてデコードされ、ＤＡコンバータ５においてアナログ信号に変換される。そして、通常モードにおいては、ＤＡコンバータ５からのアナログ信号は、セレクタ７、トーン回路８、及び増幅部９を経て、外部出力手段１１により、音声として出力される。
【００２５】
一方、オーディオデータを高音質で再生する高音質モードで動作している場合には、ＤＡコンバータ５からのアナログ信号は、トーン回路８を経ることなく直接的に、増幅部９に入力される。この場合、オーディオデータが有する高音質の信号が極力そのまま再現され、より原音に近いサウンドが得られることになる。
【００２６】
図２はかかるオーディオデータの再生に際し、図１の再生装置において行われる再生処理を示すフローチャートである。操作部４を介し、再生対象とする１又は複数のオーディオデータが選定され、再生の開始が指示されると、ＣＰＵ１はまず、ステップ２１において、再生対象とされた最初のオーディオデータのフレームヘッダを読み込む。次に、ステップ２２において、該フレームヘッダに基づき、当該オーディオデータを、高音質モードによる再生の対象とするかどうかの判断を行う。
【００２７】
さらに、ステップ２３において、高音質モードによる再生対象であるとされたか否かを判定する。高音質モードの対象とされたと判定した場合には、ステップ２４において、当該オーディオデータに基づき、高音質モードで再生を行う。具体的には、表示部３における表示をオフとし、ＤＡコンバータ５から、トーン回路８を介することなく、増幅器９へ直接音声信号を出力するようにして再生を行う。また、多チャンネルの再生が可能な再生装置の場合には、さらに、増幅部９における不要なチャンネルについての増幅回路をオフとするようにしてもよい。これにより、ノイズ等の影響が少なく、より原音に近い、高音質による再生が行われる。
【００２８】
ステップ２３において高音質モードの対象とされなかったと判定した場合には、ステップ２５において、当該オーディオデータに基づき、高音域補間を行うことにより、高音質に近い音質での再生を行う。この場合、トーン回路８を介して再生が行われる。なお、高音域補間とは、圧縮録音時に失われた高音域部分を補間することにより、圧縮前の音質に迫る高い音質を再現するものであり、公知の技術である。
【００２９】
ステップ２４又は２５における当該オーディオデータの再生が終了すると、ステップ２６において、再生すべき次のオーディオデータが存在するか否かを判定する。存在すると判定した場合はステップ２１へ戻り、次のオーディオデータについて、上述ステップ２１以降の処理を繰り返す。存在しないと判定した場合には、図２の再生処理を終了する。
【００３０】
図３は上述のステップ２２における高音質モードの判断処理を示すフローチャートである。まず、ステップ３１〜３３において、上述のステップ２１において読み込んだヘッダ情報に基づき、当該オーディオデータが、非圧縮ファイル若しくは可逆圧縮ファイルのデータであるか、又は非可逆圧縮ファイルであってビットレートが所定以上のデータであるかを判定する。非圧縮ファイルとしては、たとえばＷＡＶＥ形式のものが該当する。可逆圧縮ファイルとしては、たとえばロスレス圧縮形式のものが該当する。非可逆圧縮ファイルとしては、たとえばＭＰ３やＷＭＡ形式のものが該当する。
【００３１】
この判定に際しては、読み込んだヘッダ情報に基づき、そのビット構成の特徴等から、当該オーディオデータがいずれのファイル形式のものであるかを判定することができる。また、判明したファイル形式におけるビットレート格納位置のデータに基づき、ビットレートが所定値以上か否かを判定することができる。たとえば、読み込んだフレームヘッダの上位１１ビットがすべて「１」であれば、そのオーディオデータはＭＰ３形式のものであり、非可逆圧縮ファイルであることが判明する。ＭＰ３のデータはフレームヘッダ、データ領域、及びＩＤ３タグにより構成されており、フレームヘッダの３バイト目の前半にビットレートの値が格納される。したがって、このビットレートの値に基づいて、ビットレートが所定値以上か否かを判定することができる。
【００３２】
また、ＭＰ３の場合、再生周波数の上限は、ビットレートが１２８［ｋｂｐｓ］で１５［ｋＨｚ］程度、１６０［ｋｂｐｓ］で１８［ｋＨｚ］程度、１９２［ｋｂｐｓ］で２１［ｋＨｚ］程度となっている。したがって、ステップ３３のビットレートの判定における所定値としてはたとえば、１９２［ｋｂｐｓ］を採用し、これ以上であれば高音質モードによる再生の対象とするようにすることができる。
【００３３】
ステップ３１〜３３において非圧縮ファイル若しくは可逆圧縮ファイルのデータであるか、又は非可逆圧縮フィルであってビットレートが所定以上のデータであると判定した場合には、ステップ３４において、当該オーディオデータを高音質モードによる再生の対象とすることを決定し、図３の処理を終了する。いずれにも該当しないと判定した場合にはステップ３５において、当該オーディオデータを高音質モードによる再生の対象とはしないことを決定し、図３の処理を終了する。図３の処理を終了した後、図２のステップ２３へ進むことになる。
【００３４】
本実施形態によれば、オーディオデータのヘッダ情報に基づき、非圧縮ファイル、可逆圧縮ファイル、又は非可逆圧縮ファイルであってビットレートが所定以上であると判定した場合には当該オーディオデータを高音質モードで再生し、他の場合には高音域補間を行い、高音質に近い音質で再生するようにしたため、ユーザは、オーディオデータのファイル形式やビットレートを意識する必要なしに、高音質で記録されているオーディオデータについては高音質モードで再生することができる。その際、ヘッダ情報に基づいて、非圧縮ファイル又は可逆圧縮ファイルであるかどうか、さらにはビットレートが所定以上であるかどうかを確実に認識し、高音質モードの対象とするか否かを判定することができる。
【００３５】
また、非圧縮ファイル及び可逆圧縮ファイル形式のオーディオデータを高音質モードによる再生の対象とするようにしたため、これらの高音質のオーディオデータを生かした高音質モードでの再生を行うことができる。
【００３６】
また、ビットレートが所定値よりも低く、高音質モードの対象とならないオーディオデータについては高音域補間を施して再生を行うようにしたため、高音質モードの対象とならないオーディオデータであっても、高音質なオーディオデータに近い音質で再生を行うことができる。
【００３７】
図４は上述した高音質モードにおける再生装置の動作例を示す。図中の「対象」欄は高音質モード及び非高音質モードにおいてオン・オフ又は回避・通過の切替えの対象となるものを示す。「高音質モード」及び「非高音質モード」欄はこれらの切替え内容を示す。同図のように各対象は、非高音質モードで動作する場合にはオン又は通過となるように制御され、高音質モードで動作する場合には、オフ又は回避となるように制御される。これにより、高音質モードで動作する場合には、ＣＰＵ１の不要な処理を停止してＣＰＵ１の負荷を低減させたり、不要な回路に信号を通過させないようにして再生波形の乱れや損失を低減させたり、不要な電源を用いないようにして電源からの不要輻射を低減させたりすることができる。したがって、高音質モードで動作する場合には、非高音質モードで動作する場合に比べ、高音質で再生を行うことができる。対象や切替え内容は図４に例示したものに限定されず、他の対象や切替え内容であってもよい。
【００３８】
具体的には、再生装置は一般的に液晶表示装置や有機ＥＬ表示装置、ＦＬ管、発光ダイオード等による表示部を有し、再生装置の動作状態や再生しているオーディオデータの名称などの情報を表示する。図４の高音質モードにおける表示部のオフは、この表示を行わないことによって、ＣＰＵ１の負荷低減を図るとともに、表示部４や表示部４を駆動する電源を動作させないことにより、表示部のオンの場合よりも高音質な再生を可能にする。
【００３９】
また、音質調整機構は、トーンやイコライザ等のような、再生オーディオデータの周波数毎の音量を調整するものである。音質調整機構としては、ディジタルの状態でオーディオデータをＣＰＵ１により調整するものや、アナログ出力をトーン回路を通過させることにより調整するものがある。図４の高音質モードにおける音質調整機構のオフは、音質調整機構によるこれらの動作を行わないようにすることによって、又は音質調整機構を経由しないことによって、音質調整機構のオンである場合よりも高音質な再生を可能にする。
【００４０】
図４中の高音質モードにおけるセレクタの回避は、オーディオデータをＤＡコンバータ５によりアナログ波形に変換した後、他のアナログ入力ソースとの間で切り替えるセレクタ７を経由することなく増幅させることにより、セレクタ７を経由させる場合よりも高音質な再生を可能にする。
【００４１】
サラウンド処理・増幅部のオフは、再生装置がサラウンドチャンネル等の再生が可能な多チャンネル再生装置であり、オーディオデータがステレオ２チャンネルのソースである場合、ＣＰＵにおける２チャンネル以外のチャンネルの処理を不要とし、２チャンネル以外のチャンネルの増幅も行わないことにより、ＣＰＵの負荷低減を図り、かつ増幅部５９に対する電源供給を不要とし、サラウンド処理・増幅部がオフの場合よりも高音質な再生を可能にする。
【００４２】
映像関連処理・出力のオフは、再生装置が映像を伴うソースに対応しているいわゆるＡＶアンプや動画対応再生装置である場合に、動画を処理するＣＰＵ１の動作や映像処理用の集積回路の動作を行わないことにより、映像関連処理・出力のオンの場合よりも高音質な再生を可能にする。
【００４３】
高音質モードである場合にはオーディオデータに高音域までの周波数情報が含まれている。したがって高音域補間処理のオフは、ＣＰＵによる補間処理を行わないことにより、高音域補間処理がオフである場合よりも高音質な再生を可能にしている。
【００４４】
なお、本発明は上述実施形態に限定されることなく、適宜変形して実施することができる。たとえば、上述においては、図３のステップ３３における所定値の一例として、ＭＰ３形式のオーディオデータの場合における１９２［ｋｂｐｓ］を挙げたが、この所定値としては、これに限ることはなく、たとえば、ファイル形式がＭＰ３形式又はＷＭＡ形式であるオーディオデータの各場合において、所定値以上の周波数の再生が可能な各ビットレート値を採用してもよい。これによれば、圧縮形式のデータであっても、比較的高音質であるビットレートのデータについては、その高音質を生かした再生を行うことができる。
【００４５】
また、上述においては、オーディオデータを高音質モードによる再生の対象とするか否かの判定を、ファイル形式及びビットレートに基づいて行うようにしているが、この代わりに又はこれに加え、サンプリング周波数や量子化ビット数に基づいて行うようにしてもよい。
【００４６】
また、上述においては特に言及はしなかったが、オーディオデータが可変ビットレートである場合には、図２や図４の処理は行わないようにしてもよい。
【００４７】
また、上述においては、高音質モードによる再生の対象とする旨の判定を行った場合、そのまま高音質モードで再生を行うようにしている（ステップ２４）が、この代わりに、高音質モードによる再生の対象とする旨の判定を行った場合、高音質モードで再生を行うことについてユーザの了承を得るようにしてもよい。その際、当該オーディオデータが高音質モードによる再生の対象とするにふさわしい適格性を有する旨を表示するようにしてもよい。
【００４８】
さらに、上述においては高音質モードの対象とするか否かの判断を、再生対象のオーディオデータのフレームヘッダに基づいて判断しているが、該再生対象のオーディオデータのタグ情報に上述したビットレートやファイル形式が記載されている場合には、タグ情報に基づいて、高音質モードの対象とするか否かを判断するようにしてもよい。また、タグ情報中に、上述の高音質モードとするかどうかの判断を行うための情報が記載されていない場合、一旦フレームヘッダ情報を読み込み、高音質モードの対象とするか否かの判断を行った上で、その情報をタグ情報に書き込み、次回よりそのタグ情報を読み込むことによって高音質モードとするか否かの判断を行うようにしてもよい。
【００４９】
また、再生対象のオーディオデータに対して高音質モードによる再生の対象とするか否かの判断結果を、データベース化して、記憶部２や外部記憶装置１２等の再生対象のオーディオデータに関連付けて記憶、更新し、該データベースを読み込むことによって再生対象のオーディオデータを高音質モードで再生するか否かを判断してもよい。
【００５０】
また、上述の実施例においては、オーディオデータ毎に高音質モードによる再生の対象とするか否かを判断する例について説明したが、これに限定されず、アルバム単位や、フォルダ単位で判断するようにしてもよい。この場合、該当するアルバム又はフォルダの最初のオーディオデータ若しくは任意のオーディオデータについて高音質モードによる再生の対象とするか否かの判断を行い、そのオーディオデータが含まれるアルバム又はフォルダに含まれている他のオーディオデータに対し、判断したモードでの再生を継続すればよい。
【図面の簡単な説明】
【００５１】
【図１】本発明の一実施形態に係る再生装置を示すブロック図である。
【図２】図１の再生装置において行われる再生処理を示すフローチャートである。
【図３】図２の処理における高音質モードの判断処理を示すフローチャートである。
【図４】図２の処理における高音質モードの動作例である。
【図５】従来例に係る再生装置を示すブロック図である。
【符号の説明】
【００５２】
１，５１：ＣＰＵ、２，５２：記憶部、３，５３：表示部、４，５４：操作部、５，５５：ＤＡＣ、６，５６：外部入力ソース、７，５７：セレクタ、８，５８：トーン回路、９，５９：増幅部、１０，５０：再生装置、１１，６１：外部出力手段、１２，６０外部記憶装置、１３：自動切替部、６３：手動切替部。
【図１】
2009020922.tif 000003
【図５】
2009020922.tif 000004
【図２】
2009020922.tif 000005
【図３】
2009020922.tif 000006
【図４】
2009020922.tif 000007